(57)【特許請求の範囲】
【請求項１】
二酸化塩素ガス発生袋（７）を着脱自在に装着した二酸化塩素ガス発生室（１）の上流側に送風手段（２）を連結し、前記二酸化塩素ガス発生室（１）の下流側にエアマット本体（３）を連結し、このエアマット本体（３）の表面に設けた多数の小孔（Ｈ）から、前記二酸化塩素ガス発生袋（７）から発生した二酸化塩素ガスを放出するようにしたエアマットであって、前記二酸化塩素ガス発生袋（７）を二酸化塩素ガス発生室（１）の周壁（１ａ）に沿うように丸め、二酸化塩素ガス発生室（１）の略中央に流通空間（１ｂ）が形成されるようにしたことを特徴とするエアマット。
【請求項２】
前記二酸化塩素ガス発生室（１）の上流側の送風手段（２）との連結部に、逆止弁機構（４）を設けたことを特徴とする請求項１記載のエアマット。
【請求項３】
前記二酸化塩素ガス発生袋（７）は、第一収容室（１２）と第二収容室（１３）に区画したものとし、第一収容室（１２）には亜塩素酸ナトリウム溶液を収容し、第二収容室（１３）にはサラシ粉を収容したものとし、所定の圧力をかけると、第一収容室（１２）と第二収容室（１３）とが連通し、第一収容室（１２）に収容した亜塩素酸ナトリウム溶液が第二収容室（１３）に流れ込み、この第二収容室（１３）に収容したサラシ粉と反応して二酸化塩素ガスが発生するようにしたことを特徴とする請求項１または２記載のエアマット。
【発明の詳細な説明】
【技術分野】
【０００１】
この発明は、長期間にわたる寝たきりの病人や老人等の床ずれの予防または防止などに適したエアマットに関するものである。
【背景技術】
【０００２】
従来、この種のエアマットとして、例えば図７に示したような床ずれ防止用エアマットが存在する。このエアマットは、非通気性のシートによって形成されたマット主体２１の少なくとも上面側に、長さ方向または幅方向に延びる密閉可能な身体支持用の数列の空気室２２、２２が形成されている。さらに、前記空気室２２、２２間に、上面側に多数の細孔２３、２３を有し、空気室２２、２２よりも膨出高さの小さい副空気室２４、２４が設けられている。そして、前記副空気室２４、２４の送気開口部２５に送気ファン２６を接続し得るように構成している（特許文献１）。
【０００３】
このように構成された従来の床ずれ防止用エアマットでは、副空気室２４、２４に送入された清浄空気が、空気室２２、２２間に位置した副空気室２４、２４の多数の細孔２３、２３から洩出して就寝者の身体とマットとの間を効果的に流動し、発汗による身体とマットとの間の湿気を取り除く。したがって、就床した療養者の身体周辺の空気が沈滞することなく絶えず交換され、常に新鮮にして清浄な空気が療養者の身体に接することになり、皮膚の湿潤を除いて床ずれ発生の余地をなくすとともに、床ずれ療養者の患部に対しては新鮮な空気の流動作用によってその傷口の乾燥と治療を促進させ、その結果、床ずれ症状を治療することができるとしている。
【０００４】
さらに、この種のエアマットとして、例えば図８に示したような床ずれ防止用エアマットが存在する。このエアマットは、肩、背中、腰、臀部等の就寝体重が多く掛かり、床ずれの発生し易い個所には偏平な多角形のエアパット３１を縦横に複数配置し、床ずれの発生の少ない大腿部以下の脚部には円柱袋状の空気室３２を並列に複数配置し、負荷体重に対するエアマットのセルの配置パターンを変えたものとしている。そして、エアパット３１並びに空気室３２には体温程度に温められた圧送気体が送気され、細孔３３より温風が吹き出すようにしたり、隣接するエアパット３１並びに空気室３２に、間隔を置いて切分けられた強弱の圧力気体が交互に送気される送風器３４、３４を備えたものとしている（特許文献２）。
【０００５】
このように構成された従来の床ずれ防止用エアマットでは、セルの配置パターンを工夫したので、床ずれ防止並びに治療効果は非常に向上したとしている。また、患者の就寝に対して違和感が少なく、隣接するエアパッドが交互に膨張するので寝返りと同等の効果が期待でき、温風噴出と相まって患者患部の乾燥を促進して細菌の発生を抑え、汗等を発散させるので患者特有の臭気も少なく、患者の身体は常に乾燥状態が保て、衛生的である。さらに、体温程度の温風が噴出するので、患者の身体から体温を奪うことなく、正常な体温が保て、治療効果が向上するとしている。
【特許文献１】特開昭６３−１３５１６４号公報（第３頁、第１図）
【特許文献２】特開平９−２８７４０号公報（第３、４頁、第２図）
【発明の開示】
【発明が解決しようとする課題】
【０００６】
しかしながら、従来の一般的な床ずれ防止用エアマットには、長期間にわたる寝たきりの病人や老人等の身体や寝具等の汚れや悪臭が付着する。そのため、エアマット自体に雑菌等が繁殖したり、悪臭が発生したりすることがある。
【０００７】
また、従来の床ずれ防止用エアマットでは、長期間にわたる寝たきりの病人や老人等の身体や寝具等から発生する悪臭そのものを除去することができない。
【０００８】
図７に示した上記従来の床ずれ防止用エアマットは、身体とマットとの間の湿気を取り除くことによって、ある程度の消臭効果があると言えるが、臭気を積極的に除くものではないので、上記のような悪臭の消臭効果には充分ではないという問題点を有する。また、この床ずれ防止用エアマットは、身体とマットとの間の湿気を取り除くだけであるので、殺菌効果があるとは言えず、前記したようなエアマットに雑菌等が繁殖するのを防止することができない。
【０００９】
さらに、図８に示した上記従来の床ずれ防止用エアマットでは、細菌の発生を抑え、汗等を発散させるので患者特有の臭気も少なく、患者の身体は常に乾燥状態が保て、衛生的であるとしているが、エアマット自体に雑菌等が繁殖したりした場合の抗菌、殺菌効果に対しては充分であるとは言えない。また、長期間にわたる寝たきりの病人や老人等の身体や寝具等の悪臭がエアマット自体に付着してしまった場合の消臭効果には充分ではないという問題点を有する。
【００１０】
そこで、この発明は、上記従来の問題点を解決するものであり、床ずれの防止は勿論、長期間にわたる寝たきりの病人や老人等の身体や寝具等から発生する悪臭そのものを除去することができ、しかも寝たきりの病人や老人等の身体や寝具等の汚れや悪臭がエアマットに付着してしまった場合でも、エアマット自体に雑菌等が繁殖したり、悪臭が発生したりするのを防止することができるエアマットを提供することを目的としてなされたものである。
【課題を解決するための手段】
【００１１】
そのため、この発明は、二酸化塩素ガス発生袋７を着脱自在に装着した二酸化塩素ガス発生室１の上流側に送風手段２を連結し、前記二酸化塩素ガス発生室１の下流側にエアマット本体３を連結し、このエアマット本体３の表面に設けた多数の小孔Ｈから、前記二酸化塩素ガス発生袋７から発生した二酸化塩素ガスを放出するようにしたエアマットであって、前記二酸化塩素ガス発生袋７を二酸化塩素ガス発生室１の周壁１ａに沿うように丸め、二酸化塩素ガス発生室１の略中央に流通空間１ｂが形成されるようにしている。
【００１２】
そして、この発明のエアマットは、前記二酸化塩素ガス発生室１の上流側の送風手段２との連結部に、逆止弁機構４を設けたものとしている。
【００１３】
さらに、この発明では、前記二酸化塩素ガス発生袋７は、第一収容室１２と第二収容室１３に区画したものとし、第一収容室１２には亜塩素酸ナトリウム溶液を収容し、第二収容室１３にはサラシ粉を収容したものとし、所定の圧力をかけると、第一収容室１２と第二収容室１３とが連通し、第一収容室１２に収容した亜塩素酸ナトリウム溶液が第二収容室１３に流れ込み、この第二収容室１３に収容したサラシ粉と反応して二酸化塩素ガスが発生するようにしている。
【発明の効果】
【００１４】
この発明のエアマットは、以上に述べたように構成されているので、床ずれの防止は勿論、長期間にわたる寝たきりの病人や老人等の身体や寝具等から発生する悪臭そのものを除去することができ、しかも寝たきりの病人や老人等の身体や寝具等の汚れや悪臭がエアマットに付着してしまった場合でも、エアマット自体に雑菌等が繁殖したり、悪臭が発生したりするのを防止することができるものとなった。
【発明を実施するための最良の形態】
【００１５】
以下、この発明のエアマットの実施の形態を、図面に基づいて詳細に説明する。
【００１６】
この発明のエアマットは、図１に示したように、二酸化塩素ガス発生室１の上流側に送風手段２を連結し、この二酸化塩素ガス発生室１の下流側にエアマット本体３を連結したものとしている。
【００１７】
前記二酸化塩素ガス発生室１は、略円筒形状または略角筒形状に形成されており、上流側の送風手段２との連結部に逆止弁機構４を設けたものとし、上流側のエアマット本体３との連結部にパッキン５を介して開閉蓋６を設けたものとしている。そして、この二酸化塩素ガス発生室１には、二酸化塩素ガス発生袋７を着脱自在に装着したものとしている。なお、前記二酸化塩素ガス発生室１と送風手段２、二酸化塩素ガス発生室１とエアマット本体３とは、それぞれ適宜長さのホース８を介して連結したものとしている。
【００１８】
前記送風手段２は、図示したような送風ポンプであってもよいが、送風ファンであってもよい。この送風手段２は、前記二酸化塩素ガス発生室１に設けた逆止弁機構４によって、二酸化塩素ガス発生室１で発生した二酸化塩素ガスが逆流しないようにされ、二酸化塩素ガスによって錆びたりして作動状態が悪くならないようにしている。
【００１９】
前記エアマット本体３は、非通気性のシート材料等によって形成されており、内部を中空としており、エアマット本体３の長さ方向に複数列の気体流通路９を形成すると共に、この気体流通路９に連通する気体連通路１０をエアマット本体３の周囲に形成したものとしている。そして、気体流通路９の上方に位置するエアマット本体３の表面には、多数の小孔Ｈを設けたものとしている。さらに、気体連通路１０には、前記二酸化塩素ガス発生室１がホース８を介して連結され、二酸化塩素ガス発生室１で発生した二酸化塩素ガスを気体連通路１０から気体流通路９に行き渡るようにしている。そのため、この気体流通路９に行き渡った二酸化塩素ガスは、後述するように空気と一緒になって、エアマット本体３の表面に設けられた小孔Ｈから放出される。
【００２０】
前記二酸化塩素ガス発生袋７は、図５、６に示したように、袋体１１の内部を第一収容室１２と第二収容室１３に区画したものとしている。この袋体１１は、第一収容室１２側を気液不透過性とし、第二収容室１３側を気体透過性で液体不透過性としている。さらに、この袋体１１の周縁部１１ａおよび第一収容室１２と第二収容室１３の区画部１１ｂはヒートシールなどによって密着しており、シールの形状や状態などによってその密着強度に差をつけ、周縁部１１ａの密着強度を区画部１１ｂの密着強度より大きくしている。そして、二酸化塩素ガスを発生させるために、例えば袋体１１の第一収容室１２に亜塩素酸ナトリウム溶液を収容し、第二収容室１３にサラシ粉を収容したものとしている。
【００２１】
したがって、前記二酸化塩素ガス発生袋７は、袋体１１を掌で叩いたり、指で押し付けるなどして、所定の圧力をかけると、袋体１１の周縁部１１ａの密着は解除されず袋体１１が開封しないが、区画部１１ｂの密着は解除されて、第一収容室１２と第二収容室１３とが連通することになる。すると、第一収容室１２に収容した亜塩素酸ナトリウム溶液が第二収容室１３に流れ込み、この第二収容室１３に収容したサラシ粉と反応して二酸化塩素ガスが発生することになる。そして、この袋体１１内で発生した二酸化塩素ガスは、気体透過性とした第二収容室１３側から袋体１１外部に徐々に放出されることになる。
【００２２】
前記二酸化塩素ガス発生袋７は、二酸化塩素ガス発生室１の周壁１ａに沿うよう丸め、略中央に流通空間１ｂが形成されるようにして、二酸化塩素ガス発生室１に装着されている。そのため、前記送風手段２から送風される空気が、この流通空間１ｂを抵抗なく通過し、二酸化塩素ガス発生袋７から発生した二酸化塩素ガスと一緒になってエアマット本体３に送られることになる。
【００２３】
なお、前記二酸化塩素ガス発生袋７は、図示した構造のもの以外にも、例えば気体透過性で液体不透過性とし、所定の圧力をかけても周縁部が開封しないようにした外袋体内に、液体不透過性とし、所定の圧力をかけたときに周縁部の少なくとも一部が開封する内袋体を収容してなるものとし、外袋体にはサラシ粉を収容し、内袋体には亜塩素酸ナトリウム溶液を収容したものとするなど、袋体内で発生した二酸化塩素ガスが袋体外部に徐々に放出されるようにしたものであれば、その構造は特に限定されることはない。
【００２４】
以上のように構成したこの発明のエアマットは、病人や老人等がエアマット本体３に寝たままの状態で送風手段２を作動させると、この送風手段２から送風される空気が、二酸化塩素ガス発生室１に装着した二酸化塩素ガス発生袋７から発生した二酸化塩素ガスと一緒になってエアマット本体３に送られる。そして、エアマット本体３に送られた二酸化塩素ガスと一緒になった空気は、気体連通路１０から気体流通路９に行き渡り、この気体流通路９に行き渡った二酸化塩素ガスと一緒になった空気は、エアマット本体３の表面に設けられた小孔Ｈから放出される。
【００２５】
このとき、前記二酸化塩素ガスと一緒になった空気が、エアマット本体３に寝ている病人や老人等の身体や寝具等に直接吹きつけられ、この空気によって通気効果が促進され、乾燥状態が保たれ、その病人や老人等の床ずれが防止される。さらに、前記二酸化塩素ガスと一緒になった空気は、エアマット本体３に寝ている病人や老人等の身体や寝具等に直接吹きつけられることにより、二酸化塩素ガスによる消臭効果が促進され、その病人や老人等の身体や寝具等から発生する悪臭が効果的に除去される。また、前記二酸化塩素ガスと一緒になった空気は、病人や老人等の身体や寝具等に跳ね返されエアマット本体３にも吹きつけられることにより、二酸化塩素ガスによる殺菌効果が促進され、エアマット本体３に雑菌等が繁殖するのが効果的に防止され、また寝たきりの病人や老人等の悪臭がエアマット本体３に付着してしまった場合にも、このエアマット本体３に付着してしまった悪臭も効果的に除去されることになる。
【００２６】
なお、二酸化塩素ガス発生室１に装着されている二酸化塩素ガス発生袋７から二酸化塩素ガスが発生しなくなれば、二酸化塩素ガス発生室１の開閉蓋６を開閉操作し、新しい二酸化塩素ガス発生袋７に取り替えればよいのはいうまでもない。
【図面の簡単な説明】
【００２７】
【図１】この発明のエアマットの概略図である。
【図２】この発明のエアマットの図１中のＡ−Ａ線による断面図である。
【図３】この発明のエアマットの二酸化塩素ガス発生室の横断面図である。
【図４】この発明のエアマットの二酸化塩素ガス発生室の縦断面図である。
【図５】この発明のエアマットの二酸化塩素ガス発生室に装着する二酸化塩素ガス発生袋の平面図である。
【図６】この発明のエアマットの二酸化塩素ガス発生室に装着する二酸化塩素ガス発生袋の断面図である。
【図７】従来のエアマットの一例を示す斜視図である。
【図８】従来のエアマットの他の例を示す斜視図である。
【符号の説明】
【００２８】
１  二酸化塩素ガス発生室
１ａ  周壁
１ｂ  流通空間
２  送風手段
３  エアマット本体
４  逆止弁機構
７  二酸化塩素ガス発生袋
Ｈ  小孔
【図１】
0004670114.tif 000002
【図２】
0004670114.tif 000003
【図３】
0004670114.tif 000004
【図４】
0004670114.tif 000005
【図５】
0004670114.tif 000006
【図６】
0004670114.tif 000007
【図７】
0004670114.tif 000008
【図８】
0004670114.tif 000009